(57)【要約】      （修正有）【課題】隣接しているマットの切り欠部に嵌め込むと、隣接しているマット同士を安定に結合することができ、全体の見栄えが良くなり、包装工数が低減し、運輸コストが低下せしめることができる組合せマットを提供する。【解決手段】複数のマットを含み、各マットは、各側に組合せ具を嵌め込み可能な切り欠部１２が開設されており、組合せ具２１は左右対称なプレートであり、９０度に旋回して、隣接しているマットの切り欠部に嵌め込むと、隣接しているマット同士を安定に結合することができる。【選択図】図３
0003144448.tif 000002
【実用新案登録請求の範囲】
【請求項１】
複数のマットを含み、前記各マットは、各側に組合せ具を嵌め込み可能な切り欠部が開設されており、前記組合せ具は、左右対称なプレートであり、９０度に旋回して、隣接しているマットの切り欠部に嵌め込むと、隣接しているマット同士を安定に結合することができることを特徴とする
組合せマット。
【請求項２】
前記マットは、毛付き軟質マットであってもいいし、毛なし軟質マットであってもいいし、コルクマットであってもいいし、トイレ用軟質マットであってもいいし、トイレ用コルクマットであってもいいし、台所用軟質マットであってもいいし、台所用コルクマットであってもいいし、コップマットであってもよいことを特徴とする、請求項１に記載の組合せマット。
【考案の詳細な説明】
【技術分野】
【０００１】
本考案は、マットに関し、特に、組合せ具を、９０度に旋回して、隣接しているマットの切り欠部に嵌め込むと、隣接しているマット同士を安定に結合することができる組合せマットに関するものである。
【背景技術】
【０００２】
従来、マットの使用は極めて広汎であり、例えば床面に敷くことができるし、コップマットとすることもできるし、台所の床面に敷くこともでき、使用可能な面積を更に広くするために、市販しているマットの側辺には切り欠及び組合せ突起が設けられており、このように、見栄えが悪くなり、組合せ突起によってマットの面積が増加し、これにより、運輸コストが増加する。
【０００３】
上記課題を解決するために、台湾実用新案第092221473の「組合せ突起なしマット」が提案され、しかし、この組合せ突起なしマットによれば、組合せ具とマットが別体であるので、輸送時には、組合せ具とマットが別々に包装され、包装工数が増加し、そして全体の体積が増加するので、運輸コストが増加する。
【特許文献１】台湾実用新案第092221473
【考案の開示】
【考案が解決しようとする課題】
【０００４】
本考案の主な目的は、組合せ具を、９０度に旋回して、隣接しているマットの切り欠部に嵌め込むと、隣接しているマット同士を安定に結合することができ、全体の見栄えが良くなり、包装工数が低減し、運輸コストが降下する組合せマットを提供することにある。
【課題を解決するための手段】
【０００５】
本考案の請求項１に記載の組合せマットによると、複数のマットを含み、前記各マットは、各側に組合せ具を嵌め込み可能な切り欠部が開設されており、前記組合せ具は、左右対称なプレートであり、９０度に旋回して、隣接しているマットの切り欠部に嵌め込むと、隣接しているマット同士を安定に結合することができることを特徴とする組合せマットである。
【０００６】
本考案の請求項２に記載の組合せマットによると、前記マットは、毛付き軟質マットであってもいいし、毛なし軟質マットであってもいいし、コルクマットであってもいいし、トイレ用軟質マットであってもいいし、トイレ用コルクマットであってもいいし、台所用軟質マットであってもいいし、台所用コルクマットであってもいいし、コップマットであってもよい。
【考案の効果】
【０００７】
本考案の組合せマットによれば、次のような効果がある。
（１）組合せ具及び切り欠部の設計により、マットを組合せない場合には、組合せ具は、各マットに開設された切り欠部に嵌め込まれ、側辺から突出しないので、全体の面積が増加しなく、運輸コストを降下することができる。
（２）組合せ具及び切り欠部の設計により、マットを組合せようとする場合には、組合せ具を、９０度に旋回して、隣接しているマットの切り欠部に嵌め込むと、隣接しているマット同士を安定に結合することができる。
【考案を実施するための最良の形態】
【０００８】
以下、本考案の実施の形態を図面に基づいて説明する。
まず、図１及び図４を参照する。本考案に係る組合せマットは、複数のマット１０を含み、各マット１０は、表面の皺、模様や顔色が相違であってもよい。
各マット１０は、各側に組合せ具１１を嵌め込み可能な切り欠部１２が開設されており、組合せ具１１は、左右対称なプレートである。
各マット１０に嵌め込まれている組合せ具１１を交換してもよく、そうすると、一つのマット１０には、相違な皺、模様や顔色を有することができる。
【０００９】
図１に示すように、本考案の組合せマットは、少なくとも、一つのマット１０と、一つの第二マット２０と、一つの第三マット３０と、を含み、マット１０と第二マット２０と第三マット３０との表面の皺、模様や顔色が相違であってもよく、各マット１０，２０，３０は、各側に組合せ具１１，２１，３１を嵌め込み可能な切り欠部１２，２２，３２が開設されており、組合せ具１１，２１，３１は、左右対称なプレートである。
前記マットは、毛付き軟質マットであってもいいし、毛なし軟質マットであってもいいし、コルクマットであってもいいし、トイレ用軟質マットであってもいいし、トイレ用コルクマットであってもいいし、台所用軟質マットであってもいいし、台所用コルクマットであってもいいし、コップマットであってもよい。
【００１０】
図２に示すように、マット１０と第二マット２０と第三マット３０とに嵌め込まれている組合せ具１１，２１，３１を交換してもよく、そうすると、マット１０，２０，３０には、相違な皺、模様や顔色を有することができる。
図３に示すように、マット１０に第二マット２０を組合せようとする場合には、マット１０に第二マット２０を寄せて、二つの組合せ具３１，３１を、９０度に旋回して、隣接しているマット１０，２０の切り欠部１２，２２に嵌め込むと、隣接しているマット１０，２０同士を安定に結合することができ、また、マット１０に第三マット３０を組合せようとする場合には、マット１０に第三マット３０を寄せて、二つの組合せ具２１，２１を、９０度に旋回して、隣接しているマット１０，３０の切り欠部１２，３２に嵌め込むと、隣接しているマット１０，３０同士を安定に結合することができ、これにより、マットを大面積に拡大して使用することができ、素材を十分に利用することができ、そして運輸コストを降下することができる。
【００１１】
図５に示すように、マット１０の側辺には複数の切り欠部１２が開設されており、各切り欠部１２に組合せ具２１又は３１を嵌め込むことができ、マット１０同士を組合せようとする場合にはマット１０同士を寄せて、組合せ具２１又は３１を、９０度に旋回して、隣接しているマット１０，１０の切り欠部１２，１２に嵌め込むと、隣接しているマット１０同士を安定に結合することができる。
【００１２】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１３】
【図１】本考案の実施例に係る組合せマットの斜視図である。
【図２】本考案の実施例に係る組合せマットの組合せ具が交換された状態の斜視図である。
【図３】本考案の実施例に係る複数の組合せマットが組合せられた状態の斜視図である。
【図４】本考案の実施例に係る組合せマットの分解斜視図である。
【図５】本考案の実施例に係る組合せマットの組合せ具が９０度に旋回されて切り欠部に嵌め込まれた状態の斜視図である。
【符号の説明】
【００１４】
１０：マット
１１：組合せ具
１２：切り欠部
２０：第二マット
２１：組合せ具
２２：切り欠部
３０：第三マット
３１：組合せ具
３２：切り欠部
【図１】
0003144448.tif 000003
【図２】
0003144448.tif 000004
【図３】
0003144448.tif 000005
【図４】
0003144448.tif 000006
【図５】
0003144448.tif 000007